(57)【要約】      （修正有）【課題】封印部を備えた基板ボックスにおいて、開封腕部の切断によりボックス本体と蓋体とが分離可能となっても、その分離構造を容易に理解できないようにして、基板ボックスが不正に開けられるのを防止することである。【解決手段】ボックス本体２０と蓋体４０とは、両者が一体に組み付けられた状態で、前記蓋体４０の前記スライド挿入方向に沿った少なくとも一方の側板部４２の端面４２ａ，４２ｂは、反スライド挿入側が低くなるような係止段差部４９が形成され、前記ボックス本体２０の底板部２３の内側における蓋体４０の前記係止段差部４９に対応する部分には、該係止段差部４９と係止可能な微小係止突起２９が突設され、ボックス本体２０と蓋体４０との相対的なスライドの終端において、蓋体４０の係止段差部４９がボックス本体２０の微小係止突起２９を乗り越えて両者が係止する構成とする。【選択図】図９
2006288512.tif 000002
【特許請求の範囲】
【請求項１】
一辺の側板部のみが欠落されたボックス本体と、前記ボックス本体の残りの三辺の側板部の内側にそれぞれ各側板部が配置されるようにして、前記ボックス本体の側板欠落部からスライド挿入によりボックス本体内に嵌め込まれる蓋体とから成り、前記ボックス本体と蓋体とは、その一方の嵌合孔に他方の嵌合突起が挿入嵌合されて組み付けられる構造の遊技機の基板ボックスであって、
前記蓋体の前記スライド挿入方向に沿った少なくとも一方の側板部の端面は、反スライド挿入側が低くなるような係止段差部が形成され、
前記ボックス本体の底板部の内側における蓋体の前記係止段差部に対応する部分には、該係止段差部と係止可能な微小係止突起が突設され、
ボックス本体と蓋体との相対的なスライドの終端において、蓋体の係止段差部がボックス本体の微小係止突起を乗り越えて両者が係止する構成であることを特徴とする遊技機の基板ボックス。
【発明の詳細な説明】
【技術分野】
【０００１】
本発明は、遊技機において、各種の制御基板を収容するための基板ボックスに関し、更に詳しくは、本体と蓋体とが封印部によって分離不能に一体結合された構成の遊技機の基板ボックスに関するものである。
【背景技術】
【０００２】
遊技機の基板ボックスの一つとして、特許文献１に示されるように、ボックス本体及び蓋体の対向する側板部の端面部に、板状枠体とロック板とがそれぞれ形成され、ボックス本体と蓋体とをスライド方向に沿って僅かにずらした状態で、各開口が内側となるようにして重ね合わせた後に、ボックス本体及び蓋体を相対的にスライドさせることにより、一方のロック板を他方の板状枠体に挿入して、別に設けられた封印部を一方向ビスにより一体結合させるものがある。
【０００３】
しかし、上記構造の基板ボックスは、不正行為によりボックス本体又は蓋体と封印部とを接続する開封腕部が切断されると、本体と蓋体とは、互いにスライドさせるのみで分離できるため、不正防止構造としては、前記封印部のみに依存した構造となって、不正防止の観点からは信頼性に欠けるものであった。
【特許文献１】特開２０００−１７６１３２号公報
【発明の開示】
【発明が解決しようとする課題】
【０００４】
本発明の課題は、封印部を備えた基板ボックスにおいて、開封腕部の切断によりボックス本体と蓋体とが分離可能となっても、その分離構造を容易に理解できないようにして、基板ボックスが不正に開けられるのを防止することである。
【課題を解決するための手段】
【０００５】
上記の課題を解決するための第１解決手段は、一辺の側板部のみが欠落されたボックス本体と、前記ボックス本体の残りの三辺の側板部の内側にそれぞれ各側板部が配置されるようにして、前記ボックス本体の側板欠落部からスライド挿入によりボックス本体内に嵌め込まれる蓋体とから成り、前記ボックス本体と蓋体とは、その一方の嵌合孔に他方の嵌合突起が挿入嵌合して組み付けられる構造の遊技機の基板ボックスであって、前記蓋体の前記スライド挿入方向に沿った少なくとも一方の側板部の端面は、反スライド挿入側が低くなるような係止段差部が形成され、前記ボックス本体の底板部の内側における蓋体の前記係止段差部に対応する部分には、該係止段差部と係止可能な微小係止突起が突設され、ボックス本体と蓋体との相対的なスライドの終端において、蓋体の係止段差部がボックス本体の微小係止突起を乗り越えて両者が係止する構成であることを特徴としている。
【０００６】
第１解決手段によれば、蓋体の係止段差部がボックス本体の微小係止突起を乗り越えて両者が係止された状態において、ボックス本体と蓋体とを分離させるために、ボックス本体に対して蓋体を組付け時とは逆方向にスライドさせようとすると、蓋体の天板部には必ず押付け力が作用する。前記押付け力は、ボックス本体の微小係止突起と蓋体の係止段差部とが一層強く係止するように作用するため、蓋体の係止段差部がボックス本体の微小係止突起を乗り越えるのが一層に困難となる。即ち、前記押付け力は、ボックス本体の微小係止突起と蓋体の係止段差部との係止が解除されないように作用するので、ボックス本体と蓋体との分離が極めて難しくなる。
【０００７】
また、上記した係止構造は、微小係止突起は目立たないために、たとえ基板ボックスを透明な部材で構成しても、一見して蓋体を開く方法が理解しにくい。このように、ボックス本体に対して蓋体を開くことが極めて難しく、しかも蓋体を開く方法が一見して理解できないので、不正行為を有効に防止し得る。
【０００８】
また、第２解決手段は、第１解決手段において、前記ボックス本体の底板部における微小係止突起の両側には、前記スライド挿入方向に沿ったスリットがそれぞれ形成されていることを特徴としている。
【０００９】
第２解決手段によれば、ボックス本体に対して蓋体をスライド挿入させる場合において、蓋体の側板部の端面の係止段差部よりもスライド挿入側の部分が、ボックス本体の底板部の微小係止突起が形成された部分に達すると、ボックス本体の底板部における微小係止突起を形成した前後の部分が外側に僅かに弾性変形するため、蓋体の係止段差部がボックス本体の微小係止突起を乗り越え易くなると共に、乗り越えて係止段差部と微小係止突起とが係止した後には、微小係止突起を形成した前後の部分は弾性変形により原形状に復元して、前記係止を確実とする。
【００１０】
また、第３解決手段は、第１又は第２の解決手段において、前記ボックス本体の側板欠落部と対向する側板部に対して密着する蓋体の側板部には、外側が凹状となった凹状部が形成されて、該凹状部と外側のボックス本体の側板部との間に、蓋体の天板部の側に開口した工具挿入孔が形成されていることを特徴としている。
【００１１】
第３解決手段によれば、前記工具挿入孔に挿入された棒状の工具の先端を蓋体の側板部の外側に当てた状態で、外側のボックス本体の側板部の端面側の端部を支点として前記工具をこじると、蓋体には、ボックス本体から蓋体を浮き上がらせる方向の力が作用する。このため、ボックス本体の微小係止突起と蓋体の係止段差部との係止が容易に解除されて、蓋体を簡単に取り外すことができる。
【発明の効果】
【００１２】
本発明によれば、蓋体の係止段差部がボックス本体の微小係止突起を乗り越えて両者が係止された状態において、ボックス本体と蓋体とを分離させるために、ボックス本体に対して蓋体を組付け時とは逆方向にスライドさせようとすると、蓋体の天板部には必ず押付け力が作用して、ボックス本体の微小係止突起と蓋体の係止段差部とが一層強く係止するように作用するため、蓋体の係止段差部がボックス本体の微小係止突起を乗り越えるのが一層に困難となる。また、上記した係止構造は、微小係止突起が目立たないので、一見して蓋体を開く方法が理解しにくい。このように、ボックス本体に対して蓋体を開くことが極めて難しく、しかも蓋体を開く方法が一見して理解できないので、不正行為の防止に寄与できる効果は多大である。
【発明を実施するための最良の形態】
【００１３】
以下、本発明を実施するための最良の実施形態を挙げて、本発明を更に詳細に説明する。図１は、液晶表示装置Ａの液晶表示制御基板Ｖを収容した基板ボックスＢを背面に備えた遊技機の遊技盤１の正面図であり、図２は、同じく背面図であり、図３は、液晶表示制御基板Ｖを収容した基板ボックスＢを分離させた状態の遊技盤１の背面斜視図である。図１ないし図４において、遊技盤１の裏側には、コの字形の側面形状を有する液晶表示制御基板ホルダーＨ1 が取付けられている。前記液晶表示制御基板ホルダーＨ1 の上側は、遊技盤１の裏側に直接に取付けられており、同じく下側は、遊技盤１に直接に取付けられた主制御基板ホルダーＨ2 に取付けられている。この結果、前記液晶表示制御基板ホルダーＨ1 が上記のようにして遊技盤１の裏側に取付けられると、前記液晶表示制御基板ホルダーＨ1 の側面には、大きな側面開口１１が形成される。液晶表示制御基板ホルダーＨ1 のボックス取付面１２には、液晶表示制御基板Ｖを収容した基板ボックスＢのボックス本体２０の前面に取付けられる液晶表示装置Ａを挿通可能な方形の挿通開口１３が形成されている。
【００１４】
次に、液晶表示制御基板Ｖを収容する基板ボックスＢについて説明する。図４は、基板ボックスＢを構成するボックス本体２０と蓋体４０との分解斜視図であり、図５は、蓋体４０を内側から見た斜視図であり、図６は、ボックス本体２０に対して蓋体４０をスライド挿入させて組み付けている途中の斜視図であり、図７は、基板ボックスＢを裏側（蓋体４０の側）から見た図であり、図８（イ）は、ボックス本体２０の微小係止突起２９の部分の拡大正面図であり、同（ロ），（ハ）は、それぞれ同（イ）のＸ1 −Ｘ1 線及びＸ2 −Ｘ2 線の各断面図であり、図９（イ），（ロ）は、ボックス本体２０と蓋体４０との組付け途中（スライド挿入途中）及び組付け後（スライド挿入終了後）における図７のＹ−Ｙ線断面図である。基板ボックスＢは、液晶表示装置Ａを取付けるための取付け部２１を外面に有するボックス本体２０と、該ボックス本体２０の背面側にスライドにより装着されて、ボックス本体２０の背面側（裏側）の開口を閉塞する蓋体４０とで構成される。
【００１５】
図４に示されるように、ボックス本体２０は、方形箱体の一辺の側板部が欠落されて開口２２が形成された形状であって、底板部２３と、蓋体４０のスライド挿入方向Ｐ（図６参照）に沿った一対の第１側板部２４と、スライド挿入方向Ｐと直交する方向に沿った１つの第２側板部２５とを備えている。底板部２３には、全体形状が方形状となった２ヶ所の部分に、内径２ｍｍ以下の多数の放熱孔２３ｂが集中的に形成されている。
【００１６】
一方、図４及び図５に示されるように、蓋体４０は、表面に実装した電子部品（図示せず）を後述の天板部４１の側に向けて液晶表示制御基板Ｖを収容した状態で、ボックス本体２０の開口２２からスライド挿入方向Ｐにスライド挿入させて、ボックス本体２０の内側に収容されるものであって、天板部４１と、スライド挿入方向Ｐに沿った一対の第１側板部４２と、スライド挿入方向Ｐと直交する方向に沿った一対の第２側板部４３とを備えている。蓋体４０の反スライド挿入側の第２側板部４３は、スライド挿入方向Ｐに沿って段差状に形成されて、外側第２側板部４３ａと内側第２側板部４３ｂとで構成され、各第２側板部４３ａ，４３ｂの間に基板取付板部４４が形成され、各第２側板部４３ａ，４３ｂと基板取付板部４４と左右の一対の第１側板部４２との間で凹部５０が形成されている。基板取付板部４４の内側面と、第２側板部４３の内側面に形成された左右一対の基板挿入溝４５とに、前記液晶表示制御基板Ｖが取付けられる。基板挿入溝４５は、第２側板部４３の内側面における該第２側板部４３の端面に近い部分に突設された突部４６と、該突部４６との間に所定の隙間を形成して前記第２側板部４３が内側に膨出した形状となった内側膨出部４７の形成端との間に形成される。第２側板部４３に内側膨出部４７が形成されることにより、蓋体４０の第２側板部４３の外側面には、前記突部４６に達する左右一対の凹部４８が形成される。なお、天板部４１には、分離された２ヶ所に内径２ｍｍ以下の多数の放熱孔４１ｂが形成されている。
【００１７】
ボックス本体２０に蓋体４０がスライド挿入により組み付けられた状態では、ボックス本体２０を構成する一対の第１側板部２４及び第２側板部２５の内側に、それぞれ蓋体４０を構成する一対の第１側板部４２及び第２側板部４３が２枚重ね状態となって配置される（図６参照）。また、蓋体４０の天板部４１は、一対の第１側板部４２の外側面よりも、ボックス本体２０の第１側板部２４の板厚分だけ巾方向（スライド挿入方向と直交する方向）に突出していて、ボックス本体２０に蓋体４０がスライドにより組み付けられた状態では、ボックス本体２０の一対の側板部２４の端面２４ａに蓋体４０の天板部４１の巾方向の端部が密着すると共に、前記天板部４１の先端面４１ａがボックス本体２０の第２側板部２５の上端部の内側面に当接して、ボックス本体２０の第２側板部２５の端面２５ａと蓋体４０の天板部４１の外側面とが同一面となる構成であるため、ボックス本体２０の第１側板部２４は第２側板部２５よりも、蓋体４０の天板部４１の板厚分だけ低く形成されている。
【００１８】
また、図４及び図８に示されるように、蓋体４０の第１側板部４２のスライド挿入側の端部が所定長（Ｌ1 ）〔図４参照〕だけ本来の高さを有していて、残りの大部分は高さ（Ｌ2 ）だけ低く形成されているため、蓋体４０の第１側板部４２の高さが異なる部分には、係止段差部４９が形成される。蓋体４０の第１側板部４２の上記構成に対応して、ボックス本体２０の底板部２３の前記開口２２の側の端部のスライド挿入方向Ｐに沿って所定巾の部分は、残りの殆どを占める部分よりも高さ（Ｌ2 ）だけ高く形成されて段差状になっている〔図９（イ）参照〕。そして、ボックス本体２０に蓋体４０がスライド挿入により組み付けられた状態では、蓋体４０の第１側板部４２のスライド挿入側の第１端面４２ａは、ボックス本体２０の底板部２３に当接すると共に、蓋体４０の第１側板部４２の残りの端面４２ｂの反スライド挿入側の部分は、ボックス本体２０の段差底板部２３ａに当接する〔図９（ロ）参照〕。
【００１９】
次に、ボックス本体２０に対して蓋体４０がスライド挿入により組み付けられた状態において、ボックス本体２０と蓋体４０とは、複数箇所において相互の嵌合構造によってボックス本体２０と蓋体４０とが分離しないように一体化させてあり、これらの嵌合構造をまとめて説明する。まず、蓋体４０の第２側板部４３の外側面における第２側板部４３の端面４３ｃに臨む部分には、該第２側板部４３の端面４３ｃと同一面となる左右一対の第１嵌合突起５１が突設されている（図５及び図６参照）。左右一対の第１嵌合突起５１の巾方向Ｑの形成位置は、第２側板部４３の外側に形成された一対の凹部４８と同一位置である。一方、ボックス本体２０の第２側板部２５における前記一対の第１嵌合突起５１に対応する位置には、一対の第１嵌合孔２６が形成されている（図４及び図６参照）。
【００２０】
また、ボックス本体２０の段差底板部２３ａの外側面の巾方向Ｑの中央部には、第２嵌合突起２７が突設されており、蓋体４０の外側第２側板部４３ａの対応位置には第２嵌合孔５２が形成されている（図４参照）。蓋体４０の一対の側板部４２の反スライド挿入側の外側面には、スライド挿入方向Ｐに沿って第３嵌合突起５３が形成され、ボックス本体２０の一対の第１側板部２４の対応部分は、外側に膨出されて第３嵌合孔２８が形成されている（図４及び図５参照）。よって、ボックス本体２０の第２側板部２５の一対の嵌合孔２６に、蓋体４０の第２側板部４３の一対の第１嵌合突起５１がそれぞれ挿入嵌合され、更に、ボックス本体２０に蓋体４０が組み付けされた状態では、ボックス本体２０の第２嵌合突起２７が蓋体４０の第２嵌合孔５２に挿入嵌合されると共に、蓋体４０の一対の第３嵌合突起５３がボックス本体２０の一対の第３嵌合孔２８に挿入嵌合され、計３箇所の嵌合構造によって、ボックス本体２０と蓋体４０とが一体化される。
【００２１】
また、図４ないし図９（特に、図９）に示されるように、ボックス本体２０の底板部２３における各第１側板部２４の内側面から蓋体４０の第２側板部４３の板厚寸法内であって、しかも第２側板部２５から蓋体４０の第１端面４２ａの長さ（Ｌ1 ）に対応する位置には、一対の微小係止突起２９が突設されている。また、前記底板部２３には、前記微小係止突起２９の両側に一対のスリット３１がスライド挿入方向Ｐに沿って形成されている。一対のスリット３１の存在により、底板部２３における微小係止突起２９が一体形成されているスライド挿入方向Ｐに沿って細長い部分が両端支持状となって、微小係止突起２９に底板部２３に対して垂直な力（Ｆ1 ）が作用した場合に撓み変形し易くしてある。また、図５及び図８（ハ）に示されるように、ボックス本体２０に対する蓋体４０のスライド挿入を容易にするために、蓋体４０の第２側板部４３の端面４３ｃの長手方向の両端部は、部分的に面取り４３ｄされている。なお、スリット３１の巾は、１ｍｍ以下である。なお、図９においては、蓋体４０に収容される制御基板Ｖは、図示されていない。
【００２２】
そして、ボックス本体２０に対して蓋体４０をスライド挿入させると、蓋体４０の第２側板部４３に形成した面取り４３ｄの存在によって、蓋体４０の第１側板部４２の第１端面４２ａは、ボックス本体２０の底板部２３の微小係止突起２９に引っ掛かることなくスムーズに乗り上がる。その後に、前記した計３箇所の嵌合構造の部分、特に蓋体４０のスライド挿入側の第１嵌合突起５１がボックス本体２０の第１嵌合孔２６に嵌合されると、蓋体４０の第１側板部４２の第１端面４２ａが前記微小係止突起２９を乗り越えて、第１及び第２の各端面４２ａ，４２ｂの境界である係止段差部４９と前記微小係止突起２９とが係止する。また、微小係止突起２９の両側に各スリット３１が設けられることにより、底板部２３における微小係止突起２９が一体形成されているスライド挿入方向Ｐに沿って細長い部分が両端支持状となって、図８（ロ），（ハ）で２点鎖線で示されるように、微小係止突起２９に対して垂直な力（Ｆ1 ）が作用した場合に弾性変形により撓み易くなるために、ボックス本体２０に対して蓋体４０をスライドさせて、両者を組み付ける場合には、前記弾性変形により微小係止突起２９が存在しても、大きな引っ掛かりを生じることなく、ボックス本体２０に対して蓋体４０をスムーズにスライド挿入できると共に、蓋体の第１側板部４２の第１端面４２ａが完全に通過することにより、微小係止突起２９の部分が原形状に復元して前記弾性変形がなくなった後は、ボックス本体２０の微小係止突起２９と蓋体４０の係止段差部４９とがしっかりと係止する構造となる。なお、実施例においては、ボックス本体２０の底板部２３の板厚（Ｔ1 ）及び微小係止突起２９の突出高さ（Ｔ2 ）は、それぞれ２ｍｍ、０．８ｍｍである〔図８（イ）〕。
【００２３】
しかも、後述の封印部６０を構成する開封腕部６３が切断されて、ボックス本体２０と蓋体４０が分離可能になって、図９（ロ）に示されるように、ボックス本体２０に対して蓋体４０を反スライド挿入方向Ｐ’にスライドさせようとして、その天板部４１に力（Ｆ2 ）を作用させると、力（Ｆ2 ）を反スライド挿入方向Ｐ’と完全に平行に作用させるのは困難である。即ち、蓋体４０の天板部４１に加えられる力（Ｆ2 ）には、必ず天板部４１に対して垂直な分力が発生し、この垂直分力は、微小係止突起２９と係止段差部４９とが一層係止される方向に作用する。また、一般に基板ボックスＢは透明体（代表的には、ポリカーボネート等の透明プラスチック）で構成されているため、透明体で構成されたボックス本体２０の内側に蓋体４０を通してはじめて認識できる微小係止突起２９の存在を視覚により確認することは極めて難しい。即ち、ボックス本体２０と蓋体４０との係止構造を理解するのが難しい。このように、蓋体４０を外そうとする力（Ｆ2 ）の垂直分力は、微小係止突起２９と係止段差部４９とが一層係止される方向に作用するという構造的な理由と、ボックス本体２０と蓋体４０との係止構造を理解するのが難しいという理由とが相乗して、仮に開封腕部６３が切断されて、ボックス本体２０と蓋体４０が分離可能になったとしても、ボックス本体２０から蓋体４０を取り外すのは極めて難しい。
【００２４】
また、図６、図７及び図１０に示されるように、ボックス本体２０の第２側板部２５の巾方向Ｑの中央部であって、しかも底板部２３に近い部分には、ボックス側封印部６１が突設されて、前記第２側板部２５の端面から前記ボックス側封印部６１に至る部分には、切欠き孔６２が形成されている。一方、蓋体４０の第２側板部４３の対応位置には、開封腕部６３を介して蓋体側封印部６４が突設されていて、ボックス本体２０に蓋体４０が組み付けられた状態において、各封印部６１，６４は、一方向ねじ６５で一体に連結される。このため、遊技ホール側の事情によって、基板ボックスＢ内の液晶表示制御基板Ｖの電子部品交換、点検等を行う場合には、蓋体側封印部６４に連結されている開封腕部６３を切断ライン（Ｍ）で切断して行う。一方、不正者による制御基板Ｖの電子部品交換等を不正に行う場合にも、まず切断ライン（Ｍ）で開封腕部６３を切断して行われる。開封腕部６３の切断により、ボックス本体２０に対して蓋体４０が分離可能になったとしても、ボックス本体２０に対して蓋体４０を反スライド挿入方向Ｐ’にスライドさせて、ボックス本体２０から蓋体４０を取り外すことが困難なことは上記した通りである。従って、開封腕部６３が切断されたとしても、不正に蓋体４０を取り外すことは困難となる。なお、ボックス本体２０に対する蓋体４０のスライド挿入を容易にするために蓋体４０の第２側板部４３の端面４３ｃの両端部に形成した面取り４３ｄは、ボックス本体２０から蓋体４０を取り外す際の取外しの容易性には全く寄与しないので、不正防止構造の信頼性を低下させない。
【００２５】
図１１（イ），（ロ）は、工具挿入孔５４に工具Ｓを挿入して、ボックス本体２０の微小係止突起２９と蓋体４０の係止段差部４９との係止を解除する前後の状態を示す断面図である。ボックス本体２０に蓋体４０が組み付けられた状態では、図１１（イ）に示されるように、蓋体４０の第２側板部４３の外側に形成された一対の凹部４８と、ボックス本体２０の第２側板部２５とによって工具挿入孔５４が形成される。このため、遊技ホール側の事情により、ボックス本体２０から蓋体４０を取り外した場合には、前記各工具挿入孔５４にそれぞれ棒状の工具Ｓを挿入して、図１１（イ）に示されるように、各工具Ｓの先端部、及び該先端部よりも把持側の部分をそれぞれ蓋体４０の第２側板部４３の外側、及びボックス本体２０の第２側板部２５の内側の端面側の端部に当てた状態で、各工具を矢印Ｒで示される基板ボックスＢの外側に向けて同時にこじると、蓋体４０には、該蓋体４０は左右にこじられることなく、ボックス本体２０から浮き上がる方向のみの力が作用する。これにより、図１１（ロ）に示されるように、蓋体４０の係止段差部４９は、ボックス本体２０の微小係止突起２９を容易に乗り越えて、両者２９，４９の係止が解除されて、ボックス本体２０から蓋体４０を簡単に取り外すことができる。
【００２６】
また、図１ないし図３に示されるように、ボックス本体２０に蓋体４０が一体に組み付けられた基板ボックスＢは、ボックス本体２０の第２側板部２５の外側面であって、その端面に臨む部分に所定間隔をおいて一体に形成された一対の係止爪３２と、蓋体４０の外側第２側板部４３ａの外側面であって、その端面に臨む部分に形成された係止爪５５とを介して前記液晶表示制御基板ホルダーＨ1 の背面側に取付けられる。蓋体４０の係止爪５５は、制御基板ホルダーＨ1 のボックス取付面１２に近接して形成されたコの字形の係止片１４の上に重ね合わせられ、両者５５，１４は、別体のスライド結合片１５により一体に結合されて、基板ボックスＢの下端部が基板ホルダーＨ1 に一体に取付けられる。また、基板ボックスＢの上端部は、前記一対の係止爪３２が基板ホルダーＨ1 に形成された係止孔１６（図２参照）に係止されることにより、基板ホルダーＨ1 に一体に取付けられる。
【００２７】
上記のようにして、基板ホルダーＨ1 の背面に基板ボックスＢが取付けられると、ボックス本体２０の表面に前方を向けて取付けられた液晶表示装置Ａは、図１に示されるように、遊技盤１の遊戯領域２の中央部に奥側に大きく入り込んで配置される。なお、遊戯領域２は、誘導レール３の内側に形成されて、遊戯領域２の中央部に装飾枠４が形成されて、該装飾枠４の中央部に前記液晶表示装置Ａが配置されている。遊技者から見て液晶表示装置Ａの直下には、入球により液晶表示装置Ａを始動させる始動入賞口５が設けられている。また、始動入賞口５への入賞により液晶表示装置Ａが図柄変動を開始して、所定時間経過後に停止したときの図柄の表示が特定の表示態様の場合に「大当り遊技」が開始される。この「大当り遊技」のときに、開閉扉６が手前側に開いて大入賞口が形成される大入賞口装置（アタッカー装置）７が前記始動入賞口５の直下に配置されている。
【００２８】
なお、図２及び図３において、主制御基板ホルダーＨ2 の背面には主制御基板を収容した基板ボックス（いずれも図示せず）が取付けられ、更に液晶表示制御基板ホルダーＨ1 の両側には、更に別の基板ボックスが取付けられて、各基板ボックスを覆うようにして裏カバー（図示せず）が取付けられる。
【００２９】
また、上記実施例では、液晶表示式の液晶表示装置Ａを制御するための液晶表示制御基板Ｖを収容する基板ボックスＢに対して本発明を実施したものであって、基板ボックスＢを構成するボックス本体２０の表側に液晶表示装置Ａが一体に取付けられる構成において特徴を有しているが、内部に制御基板が収容されて封印部の切断によりボックス本体と蓋体とが分離可能な基板ボックスであれば、主制御基板、払出装置制御基板等の他の制御基板を収容する基板ボックスに対しても当然に実施可能である。
【００３０】
また、ボックス本体２０と蓋体４０とは、ボックス本体２０の内側に蓋体４０が収容された形態で、その一方の嵌合孔に他方の嵌合突起が挿入嵌合して組み付けられる構造になっておれば足り、嵌合孔と嵌合突起による具体的な嵌合構造は、上記のものに限定されず、種々考えられる。
【図面の簡単な説明】
【００３１】
【図１】液晶表示装置Ａの液晶表示制御基板Ｖを収容した基板ボックスＢを背面に備えた遊技機の遊技盤１の正面図である。
【図２】同じく背面図である。
【図３】液晶表示制御基板Ｖを収容した基板ボックスＢを分離させた状態の遊技盤１の背面斜視図である。
【図４】基板ボックスＢを構成するボックス本体２０と蓋体４０との分解斜視図である。
【図５】蓋体４０を内側から見た斜視図である。
【図６】ボックス本体２０に対して蓋体４０をスライド挿入させて組み付けている途中の斜視図である。
【図７】基板ボックスＢを裏側（蓋体４０の側）から見た図である。
【図８】（イ）は、ボックス本体２０の微小係止突起２９の部分の拡大正面図であり、（ロ），（ハ）は、それぞれ（イ）のＸ1 −Ｘ1 線及びＸ2 −Ｘ2 線の各断面図である。
【図９】（イ），（ロ）は、それぞれボックス本体２０と蓋体４０との組付け途中（スライド挿入途中）及び組付け後（スライド挿入終了後）における図７のＹ−Ｙ線断面図である。
【図１０】図７のＺ−Ｚ線断面図である。
【図１１】（イ），（ロ）は、工具挿入孔５４に工具Ｓを挿入して、ボックス本体２０の微小係止突起２９と蓋体４０の係止段差部４９との係止を解除する前後の状態を示す断面図である。
【符号の説明】
【００３２】
Ａ：液晶表示装置
Ｂ：基板ボックス
Ｈ1 ：液晶表示制御基板ホルダー
Ｐ：スライド挿入方向
Ｓ：工具
Ｖ：液晶表示制御基板
２０：ボックス本体
２４：第１側板部（スライド挿入方向に沿った側板部）
２６：第１嵌合孔（嵌合構造）
２７：第２嵌合突起（嵌合構造）
２８：第３嵌合孔（嵌合構造）
２９：微小係止突起
３１：スリット
４０：蓋体
４２：第１側板部（スライド挿入方向に沿った側板部）
４２ａ：第１側板部の第１端面
４２ｂ：第１側板部の第２端面
４９：係止段差部
６１：ボックス側封印部
６３：開封腕部
６４：蓋体側封印部
【図１】
2006288512.tif 000003
【図２】
2006288512.tif 000004
【図３】
2006288512.tif 000005
【図４】
2006288512.tif 000006
【図５】
2006288512.tif 000007
【図６】
2006288512.tif 000008
【図７】
2006288512.tif 000009
【図８】
2006288512.tif 000010
【図９】
2006288512.tif 000011
【図１０】
2006288512.tif 000012
【図１１】
2006288512.tif 000013